(57)【要約】【課題】限られた空間内に可及的広い収納部を形成でき、必要に応じて収納部を容易に増減することのできる簡便な組立式ボックスを提供する。【解決手段】縦板１と横板２とを連結することにより、矩形の収納部３が縦横に配列して形成されるようにした組立式ボックスである。縦板１の相対する両端面１１，１１には、一対の凸条１２，１２と凹溝１３が形成される。横板２の板面２１には、係合溝２２と凸部２３とを隣り合わせて成る第１結合部２４が形成される。横板２は、両端縁に第１結合部２４が形成される中間材２Ｂと、両端縁の一方にのみ第１結合部２４が形成されて他方に第２結合部２６が形成される端材２Ａとにより構成される。第２結合部２６は、幅広凸部２７を介して平行する溝部２８Ａと段部２８Ｂとを有する。【選択図】図１
2009201530.tif 000002
【特許請求の範囲】
【請求項１】
縦板と横板とを具備した板材の接合構造であり、
前記横板の板面には、相対する両端縁に沿って平行する係合溝が形成され、
前記縦板の相対する両端面には、一端面同士を突き合わせた２つの横板の境目を跨いでその両横板の係合溝に嵌合する一対の凸条が形成されていることを特徴とする板材の接合構造。
【請求項２】
縦板と横板とを格子状に連結することにより、前記縦板と横板とで区画された矩形の収納部が縦横に配列して形成されるようにした組立式ボックスであり、
前記横板の両板面には、それぞれ相対する両端縁に沿って平行する係合溝が形成され、
前記縦板の相対する両端面には、一端面同士を突き合わせた２つの横板の境目を跨いでその両横板の係合溝に嵌合する一対の凸条が形成されていることを特徴とする組立式ボックス。
【請求項３】
縦板と横板とを格子状に連結することにより、前記縦板と横板とで区画された矩形の収納部が縦横に配列して形成されるようにした組立式ボックスであり、
前記縦板の相対する両端面には、その長さ方向に沿って一対の凸条とその両凸条で挟まれる凹溝が形成され、
前記横板の板面には、前記縦板の凹溝の幅に対して半分の幅を有する凸部と、その凸部を外縁として前記凸条に対応する係合溝と、を隣り合わせて成る第１結合部が形成されると共に、
前記横板は、同一板面の相対する両端縁に前記第１結合部が形成される中間材と、同一板面の相対する両端縁の一方にのみ前記第１結合部が形成されて他方に第２結合部が形成される端材とにより構成され、
前記第２結合部は、前記縦板の凸条に対応する溝部と、前記縦板の凹溝に嵌合する幅広凸部を介して前記溝部に平行する段部とを有し、その段部は前記縦板の凸条に対応して前記端材の板面と端面との成す稜角を切り欠いて成り、
前記中間材は、前記第１結合部を相対する両板面に形成した内装用中間材を備え、前記端材は、前記第１結合部及び第２結合部を相対する両板面に形成した内装用端材を備えていることを特徴とする組立式ボックス。
【請求項４】
前記中間材は、前記第１結合部を相対する両板面に形成した内装用中間材と、前記第１結合部を一方の板面にのみ形成した外装用中間材とに分類され、
前記端材は、前記第１結合部及び第２結合部を相対する両板面に形成した内装用端材と、前記第１結合部及び第２結合部を一方の板面にのみ形成した外装用端材とに分類されていることを特徴とする請求項３記載の組立式ボックス。
【請求項５】
縦板に装着される横断面Ｔ字形の化粧カバーを備え、その化粧カバーは、前記縦板の厚さと同じ幅を有する帯状のカバー本体と、このカバー本体に直交する突片とを有し、
前記縦板には、凸条が形成される端面と直交する端面に前記化粧カバーの突片を差し込むための縦溝が形成されることを特徴とする請求項２〜４のいずれかに記載の組立式ボックス。
【発明の詳細な説明】
【技術分野】
【０００１】
本発明は、板材を接合する技術に係り、特に金具や接着剤を使用せずして複数の板材を連結できるようにした接合構造と、その接合構造を有して物品を配置する収納部を容易に形成できるようにした組立式ボックスに関する。
【背景技術】
【０００２】
従来、組立式の家具類では、複数の板材にそれぞれ円柱状の突起（ダボ）とダボ穴を設け、そのダボとダボ穴の嵌合により板材同士を連結できるようにしている（例えば、特許文献１）。
【０００３】
しかし、その種の組立方式では、板材を箱型に結合してその内側に矩形の収納部を一つしか形成することができない。尚、一対の長大な板材に仕切りとなる複数の板材を直角に結合して複数の収納部を形成できるようにしたものもあるが、これは長大な板材を対面とする収納部の内部が細分化されるだけで、収納部の全容積は長大な板材に依存して変わりなく、収納物の増加に応じて収納部を後から拡張することはできない。
【０００４】
そこで、複数の箱状体を積み重ねることにより、矩形の収納部が縦横に配列して形成されるようにした木製棚が提案されている（例えば、特許文献２）。
【０００５】
【特許文献１】実用新案登録第２５７３８９９号公報
【特許文献２】登録実用新案第３０６５５０６号公報
【発明の開示】
【発明が解決しようとする課題】
【０００６】
しかしながら、特許文献２の木製棚によれば、箱状体の各面を突き合わせることから、各箱状体内の収納部は、２枚の板材が重なり合った隔壁によって四方を囲まれることになる。このため、木製棚全体の占有体積に対して、各収納部の容積が小さくなるという欠点がある。
【０００７】
又、特許文献２では、横断面十字形等の連結部材を用いて各箱状体を連結するべく、その各コーナ部に対角方向に沿って斜めの溝を形成するようにしているので、当該溝を形成するための加工が難しく、加工コストが高くなることが懸念される。
【０００８】
更に、コーナ部の溝に対する連結部材の抜き差しは容易でなく、しかもコーナ部の集合形態によって連結部材の種類が変えられるので、箱状体を増設したり分解したりする作業が困難になるという欠点がある。
【０００９】
本発明は以上のような事情に鑑みて成されたものであり、その目的は板材同士の連結、切り離しが容易で、限られた空間内に可及的広い収納部を形成でき、しかも必要に応じて収納部を容易に増減することのできる板材の接合構造と、これを備えた簡便な組立式ボックスを提供することにある。
【課題を解決するための手段】
【００１０】
本発明は上記目的を達成するため、
縦板と横板とを具備した板材の接合構造であり、
前記横板の板面には、相対する両端縁に沿って平行する係合溝が形成され、
前記縦板の相対する両端面には、一端面同士を突き合わせた２つの横板の境目を跨いでその両横板の係合溝に嵌合する一対の凸条が形成されていることを特徴とする。
【００１１】
又、縦板と横板とを格子状に連結することにより、前記縦板と横板とで区画された矩形の収納部が縦横に配列して形成されるようにした組立式ボックスであり、
前記横板の両板面には、それぞれ相対する両端縁に沿って平行する係合溝が形成され、
前記縦板の相対する両端面には、一端面同士を突き合わせた２つの横板の境目を跨いでその両横板の係合溝に嵌合する一対の凸条が形成されていることを特徴とする。
【００１２】
更に、縦板と横板とを格子状に連結することにより、前記縦板と横板とで区画された矩形の収納部が縦横に配列して形成されるようにした組立式ボックスであり、
前記縦板の相対する両端面には、その長さ方向に沿って一対の凸条とその両凸条で挟まれる凹溝が形成され、
前記横板の板面には、前記縦板の凹溝の幅に対して半分の幅を有する凸部と、その凸部を外縁として前記凸条に対応する係合溝と、を隣り合わせて成る第１結合部が形成されると共に、
前記横板は、同一板面の相対する両端縁に前記第１結合部が形成される中間材と、同一板面の相対する両端縁の一方にのみ前記第１結合部が形成されて他方に第２結合部が形成される端材とにより構成され、
前記第２結合部は、前記縦板の凸条に対応する溝部と、前記縦板の凹溝に嵌合する幅広凸部を介して前記溝部に平行する段部とを有し、その段部は前記縦板の凸条に対応して前記端材の板面と端面との成す稜角を切り欠いて成り、
前記中間材は、前記第１結合部を相対する両板面に形成した内装用中間材を備え、前記端材は、前記第１結合部及び第２結合部を相対する両板面に形成した内装用端材を備えていることを特徴とする。
【００１３】
加えて、前記中間材は、前記第１結合部を相対する両板面に形成した内装用中間材と、前記第１結合部を一方の板面にのみ形成した外装用中間材とに分類され、
前記端材は、前記第１結合部及び第２結合部を相対する両板面に形成した内装用端材と、前記第１結合部及び第２結合部を一方の板面にのみ形成した外装用端材とに分類されていることを特徴とする。
【００１４】
又、縦板に装着される横断面Ｔ字形の化粧カバーを備え、その化粧カバーは、前記縦板と同じ幅を有する帯状のカバー本体と、このカバー本体に直交する突片とを有し、
前記縦板には、凸条が形成される端面と直交する端面に前記化粧カバーの突片を差し込むための縦溝が形成されることを特徴とする。
【発明の効果】
【００１５】
本発明によれば、縦板と横板とを備え、横板の板面には、相対する両端縁に沿って平行する係合溝が形成され、縦板の相対する両端面には、一端面同士を突き合わせた２つの横板の境目を跨いでその両横板の係合溝に嵌合する一対の凸条が形成されていることから、連結用の金具類や接着剤を使用せずに縦板および横板を容易に連結することができる。
【００１６】
特に、本発明に係る組立式ボックスでは、横板の両板面において、それぞれ相対する両端縁に係合溝が形成されることから、その横板および縦板を縦横に格子状に連結して、それらで区画された矩形の収納部を縦横に配列して形成することができ、しかも縦板および横板を順次継ぎ足して収納部を増設することができる。
【００１７】
又、収納部は４面のそれぞれが一枚の縦板および横板で形成され、隣接する収納部が一枚の縦板あるいは横板により仕切られるようになるので、所定の空間内に容積の大きい複数の収納部を形成することができる。
【００１８】
加えて、横板は、同一板面の相対する両端縁に係合溝を含む第１結合部が形成される中間材と、同一板面の相対する両端縁の一方にのみ第１結合部が形成されて他方に第２結合部が形成される端材とにより構成され、その第２結合部が、縦板の凹溝に嵌合する幅広凸部を介して平行する溝部と段部とを有して成ることから、組み上がったボックスの側面において、縦板同士の間に美観を損なうような隙間が生ずることを防止できる。
【００１９】
又、中間材は第１結合部を相対する両板面に形成した内装用と、第１結合部を一方の板面にのみ形成した外装用とに分類され、端材も第１結合部及び第２結合部を相対する両板面に形成した内装用と、第１結合部及び第２結合部を一方の板面にのみ形成した外装用とに分類されていることから、外装用中間材および端材のそれぞれを結合部が形成されない板面を表向きにして、外表面に凹凸のない美的なボックスを組み上げることができる。
【発明を実施するための最良の形態】
【００２０】
以下、本発明を図面に基づいて詳しく説明する。図１は本発明に係る板材の接合構造を備えた組立式ボックスの使用形態を示した斜視図である。図１において、１は縦板、２は横板であり、その縦板１および横板２は複数枚が格子状に連結されている。特に、横板はその配列方向（水平方向）の両端に配される端材２Ａと、その両端材２Ａ，２Ａの間に配される中間材２Ｂとを有して構成される。更に、端材２Ａは間仕切りとなる内装用端材２Ａaと、外郭を成す外装用端材２Ａbとに分類され、中間材２Ｂも間仕切りとなる内装用中間材２Ｂaと外郭を成す外装用中間材２Ｂbに分類されている。
【００２１】
３は前後方向に開口する矩形の収納部であり、この収納部３は、縦板１と横板２とにより区画されて縦横に配列している。尚、図示例では、縦方向に配列される板材を縦板１とし、横方向に配列される板材を横板２としているが、縦板１を横方向（水平方向）に配列し、横板２を縦方向（鉛直方向）に配列することも可能である。又、本例において、縦板１および横板２は木製（積層板）であるが、それらを合成樹脂板などとすることもできる。
【００２２】
図２は、組立式ボックスを構成する縦板を示す。図２(a)は平面図、図２(b)は側面図であり、図３には同縦板の斜視図を示す。これらの図で明らかなように、縦板１は矩形の輪郭を有する板材で、相対する両端面１１，１１（使用時における上下両端面）にはその長さ方向に沿って左右一対の相平行する凸条１２，１２が連続して形成されている。その両凸条１２，１２は端面１１の幅方向両側に位置しており、その両者１２，１２の間が凹字形の凹溝１３とされている。尚、本例において、凸条１２の幅Ｗ１は２mm、凹溝１３の幅Ｗ２は６mmに設定されている。一方、端面１１と直交する他の両端面１４，１４には、一端面１１から他端面１１に亙ってその幅方向（縦板１の厚さ方向）中央に縦溝１５が連続して形成されている。
【００２３】
次に、横板を図４および図５に示す。尚、係る横板２は上述のように４種類に分類されるが、図４、図５には、上記収納部３の複数を縦横に配列して形成するに必要な代表的形態（内装用中間材２Ｂa）を示す。これらの図で明らかなように、横板（中間材２Ｂa）は矩形の輪郭を有する板材で、その両板面２１には、それぞれ相対する両端縁に沿って平行する係合溝２２が形成され、その外側に係合溝２２と隣り合う薄片状の凸部２３が形成される。そして、それら係合溝２２は、それぞれ隣接する凸部２３を外縁とする第１結合部２４を形成している。尚、凸部２３の長手方向両端は部分的に切り欠かれて切欠部２５とされている。
【００２４】
図６は縦板１と横板（中間材２Ｂ）との結合部分を示す。この図で明らかなように、第１結合部２４を形成する中間材２Ｂaの凸部２３は、その幅が縦板１に形成される凹溝１３の幅の半分に設定されている。しかして、第１結合部２４側の一端面同士を突き合わせた中間材２Ｂaに対し、縦板１の凹溝１３が両中間材２Ｂa，２Ｂaの凸部２３，２３と嵌合し、且つ凹溝１３を挟む一対の凸条１２，１２が両中間材２Ｂa，２Ｂaの境目を跨いで両者の係合溝２２，２２と嵌合するようになっている。又、図６から明らかなように、中間材２Ｂa，２Ｂaの切欠部２５，２５は、互いに向き合って縦板１の縦溝１５と同幅の溝となり、これを介して上下の縦板１，１の縦溝１５，１５が連通するようになっている。
【００２５】
尚、図６に示されるように、内装用中間材２Ｂaに平行する外装用中間材２Ｂbは、一方の板面２１（外面）に第１結合部２４を形成せず、他方の板面２１（内面）の両端縁（一端側は省略）にのみ第１結合部２４を形成したもので、その他は中間材２Ｂaと同じである。
【００２６】
図７は図６のＸ−Ｘ断面を示す。この図で明らかなように、縦溝１５が形成される縦板１の端面１４には合成樹脂などから成る化粧カバー４が装着される。図７および図８から明らかなように、化粧カバー４は、縦板１の厚さと同じ幅を有して縦板１の端面１４を覆う帯状のカバー本体４１と、このカバー本体４１の片面中央部に直交する突片４２とを一体とした横断面Ｔ字形の連続構造物であり、その突片４２が両側面に襞状の突起４２Ａを有して縦溝１５に圧入されるようになっている。このため、縦板１の端面１４が肌荒れした粗面であっても、これを遮蔽して美観を損なわず、しかも縦板１と横板（中間材２Ｂaなど）との継目を遮蔽して全体の美観を向上することができる。尚、化粧カバー４は中間材２Ｂaに対応する位置で突片４２を切除してもよく、これによれば中間材２Ｂaの切欠部２５を省略することができる。
【００２７】
次に、横板の変形例として、図９および図１０に内装用端材２Ａaを示してその構造を説明すれば、同端材２Ａaは矩形の輪郭を有する板材で、その両板面２１には、それぞれ相対する両端縁のうち一端縁に中間材２Ｂと同じ第１結合部２４が形成され、他端縁に第１結合部２４とは異なる第２結合部２６が形成される。第２結合部２６は、幅広凸部２７を挟んで溝部２８Ａと段部２８Ｂとを平行に設けて成り、その段部２８Ｂは端材２Ａaの板面２１と溝部２８Ａに平行な端面との成す稜角を切り欠くことにより形成されている。尚、幅広凸部２７の長手方向両端には切込み２９が設けられる。
【００２８】
図１１は縦板１と横板（端材２Ａ）との結合部分を示す。この図で明らかなように、第２結合部２６を形成する端材２Ａaの幅広凸部２７は、その幅が縦板１に形成される凹溝１３の幅と同一に設定されている。しかして、その幅広凸部２７に縦板１の凹溝１３が嵌合し、且つ凹溝１３を挟む一対の凸条１２，１２が溝部２８Ａと段部２８Ｂとに嵌合するようになっている。又、図１１から明らかなように、第２結合部２６を以て端材２Ａaと縦板１を直角に結合したとき、端材２Ａaの切込み２９を介して上下の縦板１，１の縦溝１５，１５が連通して上記した化粧カバー４の装着が可能とされる。
【００２９】
尚、図８に示した化粧カバー４の突片４２において、端材２Ａaに対応する位置を切除して、端材２Ａaの切込み２９を省略することができる。又、図１１に示されるように、内装用端材２Ａaに平行する外装用端材２Ａbは、一方の板面２１（外面）に第１結合部２４および第２結合部２６を形成せず、他方の板面２１（内面）にのみ第１結合部２４（図１１では省略）および第２結合部２６を形成したもので、その他は内装用端材２Ａaと同じである。
【００３０】
そして、以上のような縦板１および横板２によれば、これを図１に示されるよう縦横に格子状に連結して、それらで区画される矩形の収納部３を縦横に配列して形成することができ、しかも縦板１および横板２を継ぎ足して収納部３を増設することができる。特に、横板２として、端材２Ａを備えていれば、組み上がった構造体（ボックス）の側面に縦板１，１の間で隙間が生ずることを防止でき、しかも片面（一方の板面２１）にのみ第１結合部２４や第２結合部２６が形成される外装用端材２Ａbおよび中間材２Ｂbを備えていれば、結合部２４，２６が形成されない板面を表向きにして、それら結合部２４，２６が外部にあらわれず、美観を損なわない。
【００３１】
以上、本発明について説明したが、化粧カバー４は縦板１の一端面側（使用時において正面となる側）にだけ装着するようにしてもよい。又、横板２として上記のような４種類を取り揃えることが好ましいが、これを中間材２Ｂaのみとすることもできる。
【図面の簡単な説明】
【００３２】
【図１】本発明に係る組立式ボックスを示す斜視図
【図２】同ボックスを構成する縦板の平面図及び側面図
【図３】縦板の斜視図
【図４】同ボックスを構成する横板（内装用中間材）の平面図及び側面図
【図５】横板（内装用中間材）を示す斜視図
【図６】縦板と横板（中間材）の結合部分を示す正面図
【図７】図６のＸ−Ｘ断面図
【図８】化粧カバーの一部を示す斜視図
【図９】横板（内装用端材）を示す平面図及び側面図
【図１０】横板（内装用端材）を示す斜視図
【図１１】縦板と横板（端材）の結合部分を示す正面図
【符号の説明】
【００３３】
１  縦板
１１  端面
１２  凸条
１３  凹溝
１４  端面
１５  縦溝
２  横板
２Ａ  端材
２Ａa  内装用端材
２Ａb  外装用端材
２Ｂa  内装用中間材
２Ｂb  外装用中間材
２１  板面
２２  係合溝
２３  凸部
２４  第１結合部
２６  第２結合部
２７  幅広凸部
２８Ａ  溝部
２８Ｂ  段部
３  収納部
４  化粧カバー
４１  カバー本体
４２  突片
【図１】
2009201530.tif 000003
【図２】
2009201530.tif 000004
【図３】
2009201530.tif 000005
【図４】
2009201530.tif 000006
【図５】
2009201530.tif 000007
【図６】
2009201530.tif 000008
【図７】
2009201530.tif 000009
【図８】
2009201530.tif 000010
【図９】
2009201530.tif 000011
【図１０】
2009201530.tif 000012
【図１１】
2009201530.tif 000013